(57)【要約】【課題】読取センサを分割して配設することができ、しかも、原稿詰まりが防止されるとともに、出力画像に歪みが出ないようにすることができる原稿搬送装置および画像読取装置を提供すること。【解決手段】原稿挿入口から挿入された原稿を読取位置へと搬送する搬送ローラ１１１と、搬送ローラ１１１により搬送された原稿の部分を読み取る第１読取手段１６１と、第１読取手段１６１より下流に配設されて第１読取手段１６１で読み取られなかった原稿の部分を読み取る第２読取手段１６２と、第１読取手段１６１および第２読取手段１６２に対向する圧板１２０とを具備し、圧板１２０において第１読取手段１６１の読取位置１０１と第２読取手段１６２の読取位置１０１との間に切り欠き１２１を設け、切り欠き１２１に押圧ローラ１３１を設けた。【選択図】  図１
2004165891.tif 000002
【特許請求の範囲】
【請求項１】
原稿挿入口から挿入された原稿を読取位置へと搬送する搬送ローラと、前記搬送ローラにより搬送された前記原稿の部分が読み取られる第１読取位置および前記第１読取位置より下流であって前記第１読取位置で読み取られなかった前記原稿の部分が読み取られる第２読取位置の両読取位置を含んで前記原稿を案内する圧板とを具備し、前記圧板の前記第１読取位置と前記第２読取位置との間に切り欠きを設け、前記切り欠きに押圧ローラを設けたことを特徴とする原稿搬送装置。
【請求項２】
原稿挿入口から挿入された原稿を読取位置へと搬送する搬送ローラと、前記搬送ローラにより搬送された前記原稿の部分が読み取られる第１読取位置および前記第１読取位置より下流であって前記第１読取位置で読み取られなかった前記原稿の部分が読み取られる第２読取位置の両読取位置を含んで前記原稿を案内する圧板とを具備し、前記圧板の前記第１読取位置の主走査線上および前記第２読取位置の主走査線上にそれぞれ切り欠きを設け、前記切り欠きのそれぞれに押圧ローラを設けたことを特徴とする原稿搬送装置。
【請求項３】
原稿挿入口から挿入された原稿を読取位置へと搬送する搬送ローラと、前記搬送ローラにより搬送された前記原稿の部分を読み取る第１読取手段と、前記第１読取手段より下流に配設されて前記第１読取手段で読み取られなかった前記原稿の部分を読み取る第２読取手段と、前記第１読取手段および前記第２読取手段に対向する圧板とを具備し、前記圧板の前記第１読取手段の読取位置と前記第２読取手段の読取位置との間に切り欠きを設け、前記切り欠きに押圧ローラを設けたことを特徴とする画像読取装置。
【請求項４】
原稿挿入口から挿入された原稿を読取位置へと搬送する搬送ローラと、前記搬送ローラにより搬送された前記原稿の部分を読み取る第１読取手段と、前記第１読取手段より下流に配設されて前記第１読取手段で読み取られなかった前記原稿の部分を読み取る第２読取手段と、前記第１読取手段および前記第２読取手段に対向する圧板とを具備し、前記圧板の前記第１読取手段による読取位置の主走査線上および前記第２読取手段による読取位置の主走査線上にそれぞれ切り欠きを設け、前記切り欠きのそれぞれに押圧ローラを設けたことを特徴とする画像読取装置。
【発明の詳細な説明】
【０００１】
【発明の属する技術分野】
本発明は、画像が読み取られる原稿を搬送する原稿搬送装置、および、原稿の画像を読み取る画像読取装置に関する。
【０００２】
【従来の技術】
図１０に示す従来の画像読取装置１０００は、原稿台１１０１の上で挿入された原稿１０が第１原稿検知センサ１１１３によって検知されると、第１搬送ローラ１１１１によって原稿１０が圧板１１２０とコンタクトガラス１１６６との間を搬送されるとともに、第２原稿検知センサ１１１４の原稿検知状態によって画像読取タイミングがとられ、照明１１６５から所定光量の光が読取位置の原稿１０の画像面に照射され、画像パターンに対応する反射光がセルフォックレンズ１１６３を介して読取センサ１１６１において等倍で結像され、第２搬送ローラ１１１２によって画像読取装置１０００の外へ原稿１０が排出されるようになっていた。なお、読取センサ１１６１からのアナログ出力は、デジタルに変換された後、画像データとして蓄積される（例えば、特許文献１を参照）。
【０００３】
また、図１１に示す従来の画像読取装置１１００は、圧板の代わりにローラ２１３１を回転させて用いていた（例えば、特許文献２を参照）。
【０００４】
なお、原稿の画像を読み取る読取センサにはいくつか種類があり、図１２（ａ）に示す第１種類の読取センサ１１６１は、原稿の最大幅を賄う長さを有し、等倍で画像を読み取るものであり、図１２（ｂ）に示す第２種類の読取センサ１２６１は、原稿の幅方向に複数に分割して配置し、等倍で画像を読み取り、読み取られた画像が合成されるものであり、図１２（ｃ）に示す第３の種類の読取センサ１３６１は、縮小レンズ１３６３を介して、コンタクトガラス１３６６に接触した原稿の画像を縮小して読み取り、読み取られた画像が合成されるものである。
【０００５】
【特許文献１】
特開平６−８２９２９号公報（図１、第３−４頁）
【０００６】
【特許文献２】
特開平９−２４７３９１号公報（図２、第３−４頁）
【０００７】
【発明が解決しようとする課題】
図１２（ｂ）に示す第２種類の読取センサ１２６１のように、読み取りセンサを原稿の幅方向に複数に分割して配置すれば、図１２（ａ）に示す第１種類の読取センサ１１６１と比較して、長さが短い読取センサ１２６１を用いることができ、このような長さが短い読取センサ１２６１は、一般に、コストが低く、歩留まりも良い。しかしながら、第２種類の読取センサ１２６１を用いると圧板（図１０の１１２０）の搬送方向の長さが長くなり、また、圧板１１２０が配設された搬送路の隙間は、読取センサの焦点深度により０．３〜０．６ｍｍ程度必要であり、薄い原稿は、先端がカールしていると、第１搬送ローラ１１１１から第２搬送ローラ１１１２まで原稿１０が搬送される間に、図１３に示すように、搬送路との摩擦抵抗で原稿１０の先端１３０１が搬送路の隙間において引っ掛かり、挫屈して、原稿詰まりが発生するという課題があった。
【０００８】
また、厚く折れた原稿や、シワで凹凸の原稿が挿入された場合、このような原稿は、圧板１１２０を押し上げて搬送するが、そうすると原稿が本来の読取位置より浮いてしまい、歪み、ボケのある画像が出力されてしまう。
【０００９】
また、搬送路の摩擦抵抗により原稿の送りムラが発生して画像出力時の等倍性が損なわれてしまう。
【００１０】
また、挫屈に到らなくても、原稿と搬送路との摩擦抵抗により、搬送スピードにムラが生じると、図１２（ａ）に示す１本の読取センサ１１６１では若干の画像の伸び縮みは人間の目には目立たず、問題とはならなかったが、図１４に示すように、千鳥状に配置された読取センサ１２６１ａ、１２６１ｂ、１２６３ｃを用いた場合、数％の伸び縮みでも、正常な画像１４０１と比較して人間の目に目立つズレのある画像１４０２が出力されてしまう。
【００１１】
本発明はこのような問題を解決するためになされたもので、読取センサを分割して配設しても、原稿詰まりを防止することができるとともに、出力画像に歪みが出ないようにすることができる原稿搬送装置および画像読取装置を提供するものである。
【００１２】
【課題を解決するための手段】
本発明の原稿搬送装置は、原稿挿入口から挿入された原稿を読取位置へと搬送する搬送ローラと、前記搬送ローラにより搬送された前記原稿の部分が読み取られる第１読取位置および前記第１読取位置より下流であって前記第１読取位置で読み取られなかった前記原稿の部分が読み取られる第２読取位置の両読取位置を含んで前記原稿を案内する圧板とを具備し、前記圧板の前記第１読取位置と前記第２読取位置との間に切り欠きを設け、前記切り欠きに押圧ローラを設けた構成を有している。
【００１３】
この構成により、押圧ローラの回転により原稿の搬送力が増えるとともに、２つの読取位置の間で原稿が押さえられるので、薄い原稿であっても原稿詰まりを防止することができるとともに、出力画像に歪みが出ないようにすることができる。
【００１４】
本発明の原稿搬送装置は、原稿挿入口から挿入された原稿を読取位置へと搬送する搬送ローラと、前記搬送ローラにより搬送された前記原稿の部分が読み取られる第１読取位置および前記第１読取位置より下流であって前記第１読取位置で読み取られなかった前記原稿の部分が読み取られる第２読取位置の両読取位置を含んで前記原稿を案内する圧板とを具備し、前記圧板の前記第１読取位置の主走査線上および前記第２読取位置の主走査線上にそれぞれ切り欠きを設け、前記切り欠きのそれぞれに押圧ローラを設けた構成を有している。
【００１５】
この構成により、読取位置の２列に押圧ローラを設けているので、折れた原稿等の浮きがあっても読取位置の２列で押されて搬送されることになり、厚い折れ原稿の出力画像の等倍不良やボケの発生を防止することができる。
【００１６】
本発明の画像読取装置は、原稿挿入口から挿入された原稿を読取位置へと搬送する搬送ローラと、前記搬送ローラにより搬送された前記原稿の部分を読み取る第１読取手段と、前記第１読取手段より下流に配設されて前記第１読取手段で読み取られなかった前記原稿の部分を読み取る第２読取手段と、前記第１読取手段および前記第２読取手段に対向する圧板とを具備し、前記圧板の前記第１読取手段の読取位置と前記第２読取手段の読取位置との間に切り欠きを設け、前記切り欠きに押圧ローラを設けた構成を有している。
【００１７】
この構成により、押圧ローラの回転により原稿の搬送力が増えるとともに、２つの読取位置の間で原稿が押さえられるので、薄い原稿であっても原稿詰まりを防止することができるとともに、出力画像に歪みが出ないようにすることができる。
【００１８】
本発明の画像読取装置は、原稿挿入口から挿入された原稿を読取位置へと搬送する搬送ローラと、前記搬送ローラにより搬送された前記原稿の部分を読み取る第１読取手段と、前記第１読取手段より下流に配設されて前記第１読取手段で読み取られなかった前記原稿の部分を読み取る第２読取手段と、前記第１読取手段および前記第２読取手段に対向する圧板とを具備し、前記圧板の前記第１読取手段による読取位置の主走査線上および前記第２読取手段による読取位置の主走査線上にそれぞれ切り欠きを設け、前記切り欠きのそれぞれに押圧ローラを設けた構成を有している。
【００１９】
この構成により、読取位置の２列に押圧ローラを設けているので、折れた原稿等の浮きがあっても読取位置の２列で押されて搬送されることになり、厚い折れ原稿の出力画像の等倍不良やボケの発生を防止することができる。
【００２０】
【発明の実施の形態】
以下、本発明の実施の形態について、図面を用いて説明する。
【００２１】
（第１実施形態）
図１は本発明の第１実施形態の画像読取装置１００を示す図である。
【００２２】
第１搬送ローラ１１１は、原稿挿入口から挿入された原稿１０を、原稿１０の画像を読み取るための読取位置１０１、１０２へと搬送する。第１搬送ローラ１１１は、後述の駆動モータ（図３の１４１）によって駆動される下ローラ１１１ｂと、下ローラ１１１ｂに従動する上ローラ１１１ａとからなる。第２搬送ローラ１１２は、読み取りが終了した原稿１０を原稿挿入口とは反対の方向に所定の速度で導き搬送する。第２搬送ローラ１１２も、後述の駆動モータ（図３の１４１）によって駆動される下ローラ１２１ｂと、下ローラ１２１ｂに従動する上ローラ１２１ａとからなる。
【００２３】
なお、第１搬送ローラ１１１の下ローラ１１１ｂと第２搬送ローラ１１２の下ローラ１１２ｂとは、互いに同期して回転駆動されるようになっている。また、第１搬送ローラ１１１の上ローラ１１１ａと第２搬送ローラ１１２の上ローラ１１２ａとは、原稿１０の厚さに応じて上下方向に変位可能であって、回転自在に支持されているとともに、ばね等の付勢手段によって下方に付勢されている。
【００２４】
第１原稿検知センサ１１３は、原稿挿入口の近傍であって第１搬送ローラ１１１の手前に配置され、原稿挿入口に挿入された原稿１０を検知する。第２原稿検知センサ１１４は、第１原稿検知センサ１１３の下流であって第１搬送ローラ１１１の背後に配置され、第１搬送ローラ１１１によって搬送されている原稿１０を検知する。
【００２５】
第１読取センサ１６１および第２読取センサ１６２は、第１搬送ローラ１１１により搬送された原稿１０の画像を読み取る。第１読取センサ１６１と第２読取センサ１６２とは千鳥状に配置されており、第２読取センサ１６２は第１読取センサ１６１の下流に配置されている。第１読取センサ１６１では原稿１０上の画像の所定の部分を読み取り、第２読取センサ１６２では第１読取センサ１６１で読み取られなかった原稿１０上の画像の部分を読み取るようになっている。
【００２６】
照明１６５は、第１読取位置１０１および第２読取位置１０２の原稿１０の画像面に、所定光量の光を照射する。第１セルフォックレンズ１６３は、第１読取位置１０１の原稿１０の画像パターンに対応する反射光を、第１読取センサ１６１において所定倍率（例えば等倍）で結像させる。第２セルフォックレンズ１６４は、第２読取位置１０２の原稿１０の画像パターンに対応する反射光を、第２読取センサ１６２において所定倍率（例えば等倍）で結像させる。
【００２７】
なお、第１読取センサ１６１は第１セルフォックレンズ１６３とともに本発明の第１読取手段を構成する。また、第２読取センサ１６２は第２セルフォックレンズ１６４とともに本発明の第２読取手段を構成する。
【００２８】
コンタクトガラス１６６は、第１読取手段（第１読取センサ１６１および第１セルフォックレンズ１６３）と第２読取手段（第２読取センサ１６２と第２セルフォックレンズ１６４）との上方に配置され、搬送される原稿１０と接するようになっている。
【００２９】
圧板１２０は、コンタクトガラス１６６を挟んで第１読取手段（第１読取センサ１６１および第１セルフォックレンズ１６３）および第２読取手段（第２読取センサ１６２と第２セルフォックレンズ１６４）と対向するように配置されている。また、圧板１２０は、押圧ばねまたは自重によりコンタクトガラス１６６に向けて押圧されるように設けられている。なお、圧板１２０には、原稿１０の通過領域外の位置に複数の突起１２０ａが設けられ、これらの突起１２０ａがコンタクトガラス１６６と当接することにより、コンタクトガラス１６６と圧板１２０との間隔を一定に保つようになっている。
【００３０】
また、圧板１２０には、図２に示すように、複数の切り欠き１２１が設けられている。複数の切り欠き１２１は、第１読取センサ１６１によって原稿１０を読み取る第１読取位置１０１と第２読取センサ１６２によって原稿１０を読み取る第２読取位置１０２との間の中央に一列で設けられている。
【００３１】
また、複数の押圧ローラ１３１が、切り欠き１２１にそれぞれ設けられている。すなわち、押圧ローラ１３１は、第１読取センサ１６１によって原稿１０を読み取る第１読取位置１０１と第２読取センサ１６２によって原稿１０を読み取る第２読取位置１０２との間の中央に設けられ、第１搬送ローラ１１１と第２搬送ローラ１１２との間で原稿１０を押圧して搬送する。
【００３２】
なお、押圧ローラ１３１の材質は、ゴム、スポンジ等の弾性部材でもよいし、樹脂あるいは金属でもよい。本実施形態では、金属棒からなる軸１３５にウレタンスポンジローラを取り付け、対向する部材に０．５ｍｍの食い込みをもって当接するようにして押圧ローラ１３１を構成している。
【００３３】
また、押圧ローラ１３１は、図３に示すように、第１搬送ローラ１１１および第２搬送ローラ１１２を駆動する駆動モータ１４１によって、第１搬送ローラ１１１および第２搬送ローラ１１２と同期して駆動され、連動するようになっている。
【００３４】
具体的には、駆動モータ１４１の軸が回転すると、駆動モータ１４１の軸に取り付けられた第１プーリ１４２が回転して環状の第１タイミングベルト１４３が循環し、第２プーリ１４４を介して第１搬送ローラ１１１が回転するとともに、第３プーリ１４５を介して第２搬送ローラ１１２が第１搬送ローラ１１１と同期して回転し、原稿が搬送される。このような原稿搬送と同期して、第１ギヤ１４６、第１ギヤ１４６と噛み合う第２ギヤ１４７、および、第２ギヤ１４７と同軸の第４プーリ１４８が回転して環状の第２タイミングベルト１４９が循環し、第５プーリ１５１を介して、押圧ローラ１３１が第１搬送ローラ１１１および第２搬送ローラ１１２と同期して回転する。
【００３５】
また、押圧ローラ１３１の軸１３５には、図７に示すように、原稿１０の通過領域７０１の外に位置させて、間隔保持部材１３５ａが設けられており、間隔保持部材１３５ａがコンタクトガラス１６６に当接することにより、コンタクトガラス１６６と押圧ローラ１３１の軸との間に一定の間隔を保つようになっている。したがって、押圧ローラ１３１が、ウレタンスポンジなどの柔らかな材質である場合には、押圧ローラ１３１のコンタクトガラス１６６への食い込みの程度が一定に保たれる。
【００３６】
図８のブロック図は、本実施形態の画像読取装置１００における原稿搬送制御に関する要部を示す。図８において、ＣＰＵ（Ｃｅｎｔｒａｌ  Ｐｒｏｃｅｓｓｉｎｇ  Ｕｎｉｔ）１９０は、第１原稿検知センサ１１３と第２原稿検知センサ１１４とからそれぞれ出力された原稿検知信号に基づいて、駆動モータ１４１による第１搬送ローラ１１１および第２搬送ローラ１１２の駆動と停止とを行なうことにより、原稿の搬送を制御する。
【００３７】
図９のフローチャートは、本実施形態の画像読取装置１００におけるＣＰＵ１９０が行なう原稿搬送制御処理を示す。図９において、まず、第１原稿検知センサ１１３がオンになるまで待機し（Ｓ１）、原稿が挿入口に挿入されて第１原稿検知センサ１１３がオンになったとき、駆動モータ１４１によって第１搬送ローラ１１１および第２搬送ローラ１１２の駆動を開始し（Ｓ２）、Ｎ秒経過を待って（Ｓ３）、駆動モータ１４１による第１搬送ローラ１１１および第２搬送ローラ１１２の駆動を停止し（Ｓ４）、Ｔ秒経過を待って（Ｓ５）、駆動モータ１４１によって第１搬送ローラ１１１および第２搬送ローラ１１２の駆動を開始し（Ｓ６）、第２原稿検知センサ１１４がオンになるのを待つ（Ｓ７）。ここで、第２原稿検知センサ１１４がオンにならなければ、図示を省略した表示部によってジャム表示をする（Ｓ８）。第２原稿検知センサ１１４がオンになったときには、第２原稿検知センサ１１４がオフになるのを待ち（Ｓ９）、Ｓ秒経過を待って（Ｓ１０）、駆動モータ１４１による第１搬送ローラ１１１および第２搬送ローラ１１２の駆動を停止する。
【００３８】
なお、図１の第１読取センサ１１３から出力された画像データ、および、第２読取センサ１１４から出力された画像データは、図示しないＡ／Ｄ変換器によってアナログからデジタルに変換された後、図示しない画像処理用のマイクロプロセッサ（合成手段）によって合成され、外部に出力される。
【００３９】
以上説明したように、本実施形態の画像読取装置１００は、搬送ローラ１１１、１１２により搬送された原稿１０の所定の部分が読み取られる第１読取位置１０１および第１読取位置１０１より下流であって第１読取位置１０１で読み取られなかった原稿１０の部分が読み取られる第２読取位置１０２の両読取位置を含んで原稿１０を案内する圧板１２０を具備し、圧板１２０の第１読取位置１０１と第２読取位置１０２との間の中央に複数の切り欠き１２１を設け、複数の切り欠き１２１のそれぞれに押圧ローラ１３１を設けたので、圧板１２０によって原稿１０の搬送路が規制された位置であって、第１読取位置１０１と第２読取位置１０２の中央で、押圧ローラ１３１によって原稿１０が押圧されて搬送されることになり、薄い原稿であっても原稿詰まりを防止することができるとともに、合成された出力画像に歪が出ないようにすることができる。
【００４０】
（第２実施形態）
図４に本発明の第２実施形態の画像読取装置２００を示す。なお、図１に示す第１実施形態の画像読取装置１００と同じ構成要素は、同じ符号にしてある。
【００４１】
図４および図５に示すように、圧板２２０には、複数の切り欠き２２１、２２２が設けられ、それぞれの切り欠き２２１、２２２に押圧ローラ２３１、２３２が設けられている。
【００４２】
具体的には、第１読取センサ１６１による読取位置（第１読取位置）１０１の主走査線上であって、第１読取センサ１６１および第１セルフォックレンズ１６３の上部を避けた圧板２２０の中央部に複数の切り欠き２２１と複数の押圧ローラ２３１とが設けられている。また、第２読取センサ１６２による読取位置（第２読取位置）１０２の主走査線上であって、第２読取センサ１６２および第２セルフォックレンズ１６４の上部を避けた圧板２２０の両端部に複数の切り欠き２２２と複数の押圧ローラ２３２とが設けられている。
【００４３】
また、図６に示すように、第１押圧ローラ２３１と第２押圧ローラ２３２とは、共に、第１搬送ローラ１１１および第２搬送ローラ１１２を駆動する駆動モータ１４１によって、第１搬送ローラ１１１および第２搬送ローラ１１２と同期して駆動され、連動するようになっている。また、第１押圧ローラ２３１と第２押圧ローラ２３２とは互いに同期して駆動され、連動するようになっている。
【００４４】
具体的には、駆動モータ１４１の軸が回転すると、駆動モータ１４１の軸に取り付けられた第１プーリ１４２が回転して環状の第１タイミングベルト１４３が循環し、第２プーリ１４４を介して第１搬送ローラ１１１が回転するとともに、第３プーリ１４５を介して第２搬送ローラ１１２が第１搬送ローラ１１１と同期して回転し、原稿が搬送される。このような原稿搬送と同期して、第１ギヤ１４６、第１ギヤ１４６と噛み合う第２ギヤ１４７、および、第２ギヤ１４７と同軸の第４プーリ１４８が回転して環状の第２タイミングベルト１４９が循環する。第２タイミングベルト１４９が循環すると、第５プーリ２５１が回転して第１押圧ローラ２３１が回転するとともに、第６プーリ２５２が回転して第３タイミングベルト２５３が循環し、第７プーリ２５４が回転して第２押圧ローラ２３２が回転する。
【００４５】
また、圧板２２０には、図４および図７に示すように、原稿１０の通過領域外の位置に複数の突起２２０ａが設けられ、突起２２０ａがコンタクトガラス１６６と当接することにより、コンタクトガラス１６６と圧板２２０との間隔を一定に保つようになっている。
【００４６】
また、第１押圧ローラ２３１の軸２３５および第２押圧ローラ２３２の軸２３６には、図７に示すように、原稿１０の通過領域７０１の外に位置させて、間隔保持部材２３５ａ、２３６ａがそれぞれ設けられており、間隔保持部材２３５ａ、２３６ａがコンタクトガラス１６６に当接することにより、コンタクトガラス１６６と押圧ローラ２３１、２３２の軸との間に一定の間隔を保つようになっている。したがって、押圧ローラ２３１、２３２が、ウレタンスポンジなどの柔らかな材質である場合には、押圧ローラ２３１、２３２のコンタクトガラス１６６への食い込みの程度が一定に保たれる。
【００４７】
以上説明したように、本実施形態の画像読取装置１００は、搬送ローラ１１１、１１２により搬送された原稿１０の所定の部分が読み取られる第１読取位置１０１および第１読取位置１０１より下流であって第１読取位置１０１で読み取られなかった原稿１０の部分が読み取られる第２読取位置１０２の両読取位置を含んで原稿１０を案内する圧板１２０を具備し、第１読取位置１０１の主走査線上であって圧板１２０の中央部と、第２読取位置１０２の主走査線上であって圧板１２０の両端部にそれぞれ複数の切り欠き２２１、２２２を設け、複数の切り欠き２２１、２２２のそれぞれに押圧ローラ２３１、２３２を設けたので、圧板１２０によって原稿１０の搬送路が規制された位置であって、第１読取位置１０１の主走査線上と第２読取位置１０２の主走査線上の２列で、押圧ローラ２３１、２３２によって原稿１０が搬送されることになり、原稿１０と搬送路（コンタクトガラス１６６と圧板１２０との間）と摩擦抵抗による搬送ムラや折れ原稿の浮きを抑えることができて、薄い原稿の原稿詰まりを防止することができるとともに、合成された出力画像に歪が出ないようにすることができ、さらに、厚い折れ原稿の出力画像の等倍不良やボケの発生を防止することができる。
【００４８】
【発明の効果】
本発明によれば、読取センサを分割して配設することができ、しかも、原稿詰まりが防止されるとともに、出力画像に歪みが出ないようにすることができるという優れた効果を有する原稿搬送装置および画像読取装置を提供することができる。
【図面の簡単な説明】
【図１】本発明の第１実施形態の画像読取装置の構成を示す図である。
【図２】本発明の第１実施形態における圧板に設けられた切り欠きと押圧ローラを示す図である。
【図３】本発明の第１実施形態におけるローラの駆動機構を示す図である。
【図４】本発明の第２実施形態の画像読取装置の構成を示す図である。
【図５】本発明の第２実施形態における圧板に設けられた切り欠きと押圧ローラを示す図である。
【図６】本発明の第２実施形態におけるローラの駆動機構を示す図である。
【図７】本発明の第１実施形態および第２実施形態における押圧ローラ、圧板、およびコンアタクトガラスを示す分解図である。
【図８】本発明の第１実施形態および第２実施形態の画像読取装置の搬送制御に関するブロック図である。
【図９】本発明の第１実施形態および第２実施形態の画像読取装置の搬送制御を示すフローチャートである。
【図１０】従来の第１の画像読取装置の構成を示す図である。
【図１１】従来の第２の画像読取装置の構成を示す図である。
【図１２】従来の各種の読取センサを示す説明図である。
【図１３】従来の画像読取装置における原稿詰まりを示す説明図である。
【図１４】従来の画像読取装置における画像ズレを示す説明図である。
【符号の説明】
１００、２００  画像読取装置
１１１  第１搬送ローラ
１１２  第２搬送ローラ
１１３  第１原稿検知センサ
１１４  第２原稿検知センサ
１２０、２２０  圧板
１２０ａ、２２０ａ  圧板に設けられた突起
１２１、２２１、２２２  圧板に設けられた切り欠き
１３１、２３１、２３２  押圧ローラ
１３５、２３５、２３６  押圧ローラ軸
１３５ａ、２３５ａ、２３６ａ  間隔保持部材
１４１  駆動モータ
１６１  第１読取センサ
１６２  第２読取センサ
１６３、１６４  セルフォックレンズ
１６５  照明
１６６  コンタクトガラス
１９０  ＣＰＵ
【図１】
2004165891.tif 000003
【図２】
2004165891.tif 000004
【図３】
2004165891.tif 000005
【図４】
2004165891.tif 000006
【図５】
2004165891.tif 000007
【図６】
2004165891.tif 000008
【図７】
2004165891.tif 000009
【図８】
2004165891.tif 000010
【図９】
2004165891.tif 000011
【図１０】
2004165891.tif 000012
【図１１】
2004165891.tif 000013
【図１２】
2004165891.tif 000014
【図１３】
2004165891.tif 000015
【図１４】
2004165891.tif 000016